(57)【要約】【課題】構成が簡素で、量産し易く、低廉で、経済的に優れ、簡単に組立て分解でき、飾り羽根を安定的に保持でき、取扱いが簡単で、手軽に使用でき、保管、運搬、販売時に、コンパクトな状態にしておけ、基板を簡単に確実に安定的に背負え、自由に踊れ、綺麗で、豪華な雰囲気を醸し出せ、各種イベント等を盛り上げられる羽根飾り装置を提供する。【解決手段】仮装用等として使用する羽根飾り装置であって、基板１と、基板１に装着する肩掛け紐６と、基板１に着脱自在に装着する複数の飾り羽根１０とを備え、基板１には、複数の羽根取付部４を配し、羽根取付部４は、飾り羽根１０基端の羽柄部１１を保持できるように形成し、肩掛け紐６を利用して基板１を背負えるよう形成すると共に、複数の飾り羽根１０を少なくとも背部上方で広げた状態に配せるよう構成する。【選択図】図１
0003122328.tif 000002
【実用新案登録請求の範囲】
【請求項１】
仮装用等として使用される羽根飾り装置であって、基板と、この基板に装着される肩掛け紐と、基板に着脱自在に装着される複数の飾り羽根とを備え、基板には、複数の羽根取付部を配し、この羽根取付部は、飾り羽根基端の羽柄部を保持できるように形成され、肩掛け紐を利用して基板を背負えるよう形成すると共に、複数の飾り羽根を少なくとも背部上方で広げた状態に配せるよう構成したことを特徴とする羽根飾り装置。
【請求項２】
仮装用等として使用される羽根飾り装置であって、基板と、この基板に連結部を介して揺動自在に連結される押え板と、基板と押え板に跨るように装着される左右肩掛け紐と、基板に着脱自在に装着される複数の飾り羽根とを備え、基板には、複数の羽根取付部を配し、この羽根取付部は、飾り羽根基端の羽柄部を保持できるように形成され、左右肩掛け紐は、基板の一方の表面がわから上下の挿通切込に挿通されると共に、その両端部分が押え板に固定され、基板及び押え板を背負うべく、左右肩掛け紐が基板の一方の表面がわに引かれたときにあっては、連結部を支点として揺動する押え板が基板がわに引き寄せられて、基板と押え板が重合状態となると共に、基板と押え板で羽柄部を挟持できるように形成し、左右肩掛け紐を利用して基板及び押え板を背負ったときに、複数の飾り羽根を少なくとも背部上方で広げた状態に配せるよう構成したことを特徴とする羽根飾り装置。
【請求項３】
前記複数の羽根取付部は、基板の外周縁に沿うように略等間隔に配され、羽根取付部自体は、羽柄部の略太さ程度の間隔となる少なくとも一組の挿通切込を基板に配し、この一組の挿通切込に跨るように弾性紐を挿通せしめることにより構成され、この弾性紐の弾性収縮力を利用して羽柄部を基板に緊締保持できるよう構成したことを特徴とする請求項１または請求請２記載の羽根飾り装置。
【請求項４】
少なくとも前記基板の他方の表面、或いは、少なくとも前記押え板の他方の表面に、これらを覆うような適宜装飾被覆を設けたことを特徴とする請求項１または請求請２または請求請３記載の羽根飾り装置。
【考案の詳細な説明】
【技術分野】
【０００１】
本考案は、例えば、仮装パーティー等に於いて踊り子等の扮装をする際に使用したり、或いは、サンバカーニバル等に出場して踊る際に使用したり、或いは、その他の各種イベント等で仮装する際に使用される羽根飾り装置に関するものである。
【背景技術】
【０００２】
従来、この種の羽根飾り装置としては、例えば、サンバカーニバル等に出場する人達が自作したり、或いは、本格的に作成されたものを輸入したり、或いは、レンタルすること等によって入手することが多かった。
【０００３】
【特許文献１】なし
【考案の開示】
【考案が解決しようとする課題】
【０００４】
ところが、前述のように自作する場合は、その材料集めや、その作成が面倒である難点や、同じ出来映えのものを多数作成するのが大変であった。
また、本格的に作成されたものを輸入したり、レンタルする場合は、その費用の負担が大きく、これを多数揃えることは経済的にも厳しい難点等があった。
そこで、本考案は、前述の如き難点等を解消できるようにするのは勿論のこと、構成が簡素で、誰でも簡単に組立て分解でき、量産し易く、低廉に提供でき、取扱いが簡単で、手軽に使用できて、その保管や運搬に便利となり、綺麗な組立て状態が得られ、豪華な雰囲気を醸し出せる経済的な羽根飾り装置を提供すべく案出されたものである。
【課題を解決するための手段】
【０００５】
しかして、前述の如き課題等を達成すべく、請求項１記載の羽根飾り装置にあっては、仮装用等として使用される羽根飾り装置であって、基板１と、この基板１に装着される肩掛け紐６と、基板１に着脱自在に装着される複数の飾り羽根１０とを備え、基板１には、複数の羽根取付部４を配し、この羽根取付部４は、飾り羽根１０基端の羽柄部１１を保持できるように形成され、肩掛け紐６を利用して基板１を背負えるよう形成すると共に、複数の飾り羽根１０を少なくとも背部上方で広げた状態に配せるよう構成する手段を採用した。
【０００６】
また、請求項２記載の羽根飾り装置にあっては、仮装用等として使用される羽根飾り装置であって、基板１と、この基板１に連結部５を介して揺動自在に連結される押え板７と、基板１と押え板７に跨るように装着される左右肩掛け紐６と、基板１に着脱自在に装着される複数の飾り羽根１０とを備え、基板１には、複数の羽根取付部４を配し、この羽根取付部４は、飾り羽根１０基端の羽柄部１１を保持できるように形成され、左右肩掛け紐６は、基板１の一方の表面がわから上下の挿通切込２ａに挿通されると共に、その両端部分が押え板７に固定され、基板１及び押え板７を背負うべく、左右肩掛け紐６が基板１の一方の表面がわに引かれたときにあっては、連結部５を支点として揺動する押え板７が基板１がわに引き寄せられて、基板１と押え板７が重合状態となると共に、基板１と押え板７で羽柄部１１を挟持できるように形成し、左右肩掛け紐６を利用して基板１及び押え板７を背負ったときに、複数の飾り羽根１０を少なくとも背部上方で広げた状態に配せるよう構成する手段を採用した。
【０００７】
更に、請求項３記載の羽根飾り装置にあっては、前記複数の羽根取付部４は、基板１の外周縁に沿うように略等間隔に配され、羽根取付部４自体は、羽柄部１１の略太さ程度の間隔となる少なくとも一組の挿通切込２ｂを基板１に配し、この一組の挿通切込２に跨るように弾性紐３を挿通せしめることにより構成され、この弾性紐３の弾性収縮力を利用して羽柄部１１を基板１に緊締保持できるよう構成する手段を採用した。
【０００８】
そして、請求項４記載の羽根飾り装置にあっては、少なくとも前記基板１の他方の表面、或いは、少なくとも前記押え板７の他方の表面に、これらを覆うような適宜装飾被覆９を設ける手段を採用した。
【考案の効果】
【０００９】
従って、本考案の請求項１記載の羽根飾り装置によれば、基板１と肩掛け紐６と複数の飾り羽根１０とにより構成されているので、構成が簡素となり、量産し易く、低廉で、経済的に優れたものとなる。しかも、基板１に多数の飾り羽根１０を装着でき、より綺麗で豪華な羽根飾り装置となる。
【００１０】
特に、複数の飾り羽根１０は、基板１の羽根取付部４に着脱自在に装着されると共に、羽根取付部４は、飾り羽根１０基端の羽柄部１１を保持できるように形成されているので、誰でも簡単に組立てできるようになると共に、分解も可能となり、飾り羽根１０を安定的に保持でき、取扱いが簡単で、手軽に使用できる羽根飾り装置となる。
加えて、比較的大きな飾り羽根１０を用いても基板１から取外しておくことができるようになるため、その保管の時や、運搬の時や、販売の時に、コンパクトな状態にしておくことができる羽根飾り装置となる。
【００１１】
更に、肩掛け紐６によって、基板１を簡単に確実に且つ安定的に背負えるようになり、羽根飾り装置を気にせず自由に踊ることができるようになる。
【００１２】
しかも、肩掛け紐６を利用して背負ったときに、複数の飾り羽根１０を少なくとも背部上方で広げた状態に配せるよう構成したので、綺麗な組立て状態の羽根飾り装置により、より豪華な雰囲気を醸し出せるようになる。ひいては、仮装パーティーや、サンバカーニバルや、その他の各種イベント等を盛り上げることができるようになる。
【００１３】
また、請求項２記載の羽根飾り装置によれば、基板１と押え板７と肩掛け紐６と複数の飾り羽根１０とにより構成されているので、構成が簡素となり、量産し易く、低廉で、経済的に優れたものとなる。しかも、基板１に多数の飾り羽根１０を装着でき、より綺麗で豪華な羽根飾り装置となる。
【００１４】
特に、複数の飾り羽根１０は、基板１の羽根取付部４に着脱自在に装着されると共に、羽根取付部４は、飾り羽根１０基端の羽柄部１１を保持できるように形成されているので、誰でも簡単に組立てできるようになると共に、分解も可能となり、飾り羽根１０を安定的に保持でき、取扱いが簡単で、手軽に使用できる羽根飾り装置となる。
加えて、比較的大きな飾り羽根１０を用いても基板１から取外しておくことができるようになるため、その保管の時や、運搬の時や、販売の時に、コンパクトな状態にしておくことができる羽根飾り装置となる。
【００１５】
更に、左右肩掛け紐６によって、基板１及び押え板７を簡単に確実に且つより安定的に背負えるようになり、羽根飾り装置を気にせず自由に踊ることができるようになる。
加えて、左右肩掛け紐６と押え板７を設けたことにより、基板１と押え板７で羽柄部１１を挟持できるようになり、飾り羽根１０をより安定的に且つ確実に保持できるようになる。
しかも、左右肩掛け紐６が基板１の一方の表面がわに引かれたときにあっては、連結部５を支点として揺動する押え板７が基板１がわに引き寄せられて、基板１と押え板７が重合状態となるので、羽根飾り装置自体の強度や耐久性等が向上するようになる。
【００１６】
それから、左右肩掛け紐６を利用して背負ったときに、複数の飾り羽根１０を少なくとも背部上方で広げた状態に配せるよう構成したので、綺麗な組立て状態の羽根飾り装置により、より豪華な雰囲気を醸し出せるようになる。ひいては、仮装パーティーや、サンバカーニバルや、その他の各種イベント等を盛り上げることができるようになる。
【００１７】
更に、請求項３記載の羽根飾り装置によれば、簡素な構成で飾り羽根１０の装着がより簡単に行えるようになると共に、弾性紐３によって飾り羽根１０の羽柄部１１を基板１により安定的に且つ確実に緊締保持できるようになる。
【００１８】
そして、請求項４記載の羽根飾り装置によれば、羽根飾り装置自体の外観上の体裁がより良くなる。しかも、装飾被覆９をより豪華に飾ることや、この装飾被覆９部分に宣伝広告等を施すことも簡単に行えるようになる。
【考案を実施するための最良の形態】
【００１９】
以下、本考案を説明すると、次の通りである。
本考案は、仮装用等として使用される羽根飾り装置であって、基板１と、この基板１に装着される肩掛け紐６と、基板１に着脱自在に装着される複数の飾り羽根１０とをすくなくとも備えたものである。
そして、基板１には、複数の羽根取付部４を配してあり、この羽根取付部４は、飾り羽根１０基端の羽柄部１１を保持できるように形成されている。
しかも、肩掛け紐６を利用して基板１を背負えるよう形成すると共に、複数の飾り羽根１０を少なくとも背部上方で広げた状態に配せるよう構成したものである。
また、前記複数の羽根取付部４は、基板１の外周縁に沿うように略等間隔に配され、羽根取付部４自体は、羽柄部１１の略太さ程度の間隔となる少なくとも一組の挿通切込２ｂを基板１に配し、この一組の挿通切込２に跨るように弾性紐３を挿通せしめることにより構成されており、この弾性紐３の弾性収縮力を利用して羽柄部１１を基板１に緊締保持できるよう構成してある。
更に、少なくとも前記基板１の他方の表面、或いは、少なくとも前記押え板７の他方の表面には、これらを覆うような適宜装飾被覆９を設けてある。
【実施例】
【００２０】
次に、具体的な実施例を図１乃至図４に基づいて説明すると、本考案は、例えば、仮装パーティー等に於いて踊り子等の扮装をする際に使用したり、或いは、サンバカーニバル等に出場して踊る際に使用したり、或いは、その他の各種イベント等で仮装する際に使用される羽根飾り装置であって、この羽根飾り装置は、基板１と、この基板１に連結部５を介して揺動自在に連結される押え板７と、基板１と押え板７に跨るように装着される左右肩掛け紐６と、基板１に着脱自在に装着される複数の飾り羽根１０とを備えたものである（図１参照）。
そして、基板１には、複数の羽根取付部４を配し、この羽根取付部４は、飾り羽根１０基端の羽柄部１１を保持できるように形成されている（図２参照）。
更に、左右肩掛け紐６は、基板１の一方の表面がわから左右に夫々設けた上下の挿通切込２ａに挿通されると共に、その両端部分が押え板７に固定されている。しかも、基板１及び押え板７を背負うべく、左右肩掛け紐６が基板１の一方の表面がわに引かれたときにあっては、連結部５を支点として揺動する押え板７が基板１がわに引き寄せられて、基板１と押え板７が重合状態となると共に、基板１と押え板７で羽柄部１１を挟持できるように形成してある（図３参照）。
また、左右肩掛け紐６を利用して基板１及び押え板７を背負ったときには、複数の飾り羽根１０を少なくとも背部上方で広げた状態に配せるよう構成されている（図４参照）。
【００２１】
そして、前記基板１は、例えば、適宜紙材や、適宜合成樹脂材や、適宜木材や、適宜複合材等によって構成される比較的薄くて軽い板状素材から形成され、これを背中の大きさと略同程度（或いは、大きくても、小さくても良い）となるような略円板状（円形以外でも良い）に切断して形成されている。
尚、基板１は、ある程度の強度と剛性を備えたものでなくてはならない。また、その具体的構成や、形状や、材質や、寸法等も適宜自由に設定、変更できるもので、例えば、外観上の体裁が良い略星形等に形成することも自由である。
【００２２】
前記挿通切込２ａは、例えば、基板１の中央部分の適宜位置（左右上下）に複数（４個所）配され、肩掛け紐６が挿通自在となるように形成されている。
尚、挿通切込２ａの具体的構成や、形状や、寸法や、数や、配設位置等は、図示例等に限定されることなく適宜自由に設定、変更できるものである。
ところで、挿通切込２ａは、肩掛け紐６がスムーズに挿通するように形成しても良いし、肩掛け紐６をある程度の力で保持（挟持）しておけるように形成しても良い。すなわち、基板１と押え板７が重合状態となっている時に、その状態をある程度（挿通切込２ａでの保持力を超える力が肩掛け紐６に加えられるまで）維持できるように形成しておいても良い。
【００２３】
前記挿通切込２ｂは、例えば、一組毎に基板１の外周縁に沿うように複数組配されていると共に、基板１の外周寄り部分の列と、この列より中央寄りに離れた部分の列との二列に配され（例えば、一列に７組で計１４組、或いは、一列に５組で計１０組）、弾性紐３が挿通自在となるように形成されている。しかも、一組の挿通切込２ｂは、羽柄部１１の略太さ程度の間隔となるように配されており、羽柄部１１を安定的に保持できるようにしてある。更に、二列に複数組配してあるので、一つの羽柄部１１を二個所で保持できるようになり、より安定的で確実な保持状態が期待できるようになる。
尚、挿通切込２ｂの具体的形状や、寸法や、数や、配設位置等は、図示例等に限定されることなく適宜自由に設定、変更できるものである。
また、隣設する一組の挿通切込２ｂの間隔は、図示例のように等間隔でも良いし、部分的に間隔を詰めるようにして、飾り羽根１０がより目立つような配列状態としても良い。
【００２４】
前記弾性紐３は、例えば、略平帯状のゴム紐等が利用され、基板１の他方の表面がわに於いて一組の挿通切込２ｂに跨るように挿通されている。尚、図示例では、長尺なゴム紐を利用して、複数組の挿通切込２ｂに挿通せしめるようにしている。すなわち、弾性紐３の弾性収縮力を利用して羽柄部１１を基板１に確実に且つ安定的に緊締保持できるよう構成してある。
尚、弾性紐３の具体的構成や、形状や、寸法や、材質等は、図示例等に限定されることなく適宜自由に設定、変更できるものである。
また、例えば、押え板７を設けないで基板１だけで構成した羽根飾り装置にあっては、基板１の他方の表面がわだけでなく、基板１の一方の表面がわに於いて弾性紐３を一組の挿通切込２ｂに跨るように挿通させることも可能である。
【００２５】
前記羽根取付部４は、例えば、前記一組の挿通切込２と、この一組の挿通切込２に跨るように挿通せしめられる弾性紐３とからなり、基板１の外周縁に沿うように略等間隔に配されている。しかも、羽根取付部４は、基板１の略中心から放射方向に沿うような向きに配されており、この放射方向に於いて、複数個所（２個所）設けても良い。すなわち、複数の飾り羽根１０を放射方向に沿って整然と綺麗に配列できると共に、安定的に配列できるように形成されている。
尚、羽根取付部４の具体的構成や、数や、配設位置等は、図示例等に限定されることなく適宜自由に設定、変更できるものである。
また、隣設する羽根取付部４の間隔は、部分的に間隔を詰めるようにして、飾り羽根１０がより目立つような配列状態としても良い。
【００２６】
前記連結部５は、例えば、図示例のように接着テープ等を利用して基板１と押え板７の下端部分を折曲げ自在に連設したものであっても良いし、或いは、基板１と押え板７の下端縁を適宜折曲げ線を介して折曲げ自在に一体的に連設したものであっても良い。
尚、連結部５の具体的構成や、形状や、数や、配設位置等は、図示例等に限定されることなく適宜自由に設定、変更できるものである。
また、連結部５は、基板１と押え板７の下端部分に設けて、全体のバランス（押え板７の揺動時のバランス）が良くなるように配慮してあるが、左右側部や、斜め下部等に設けることも可能である。
【００２７】
前記肩掛け紐６は、例えば、略平帯状のゴム紐等が利用されると共に、左右に独立して設けられている。そして、この左右の肩掛け紐６は、基板１の一方の表面がわから左右夫々に設けた上下の挿通切込２ａに夫々挿通されると共に、その両端部分が押え板７の挿通切込８に挿通され、更に押え板７の他方の表面に接着して固定されるようになっている。
すなわち、基板１及び押え板７を背負うべく、左右肩掛け紐６を基板１の一方の表面がわに引くと、連結部５を支点として押え板７が基板１がわに引き寄せられるように揺動し、基板１と押え板７が重合状態となって、基板１と押え板７で羽柄部１１を弾性的に挟持できるように形成されている。
しかも、左右肩掛け紐６は、自身の弾性収縮力によって身体にフィットすると共に、身体への安定装着に役立つものとなる。
尚、肩掛け紐６の具体的構成や、形状や、配設状態や、寸法や、材質等は、図示例等に限定されることなく適宜自由に設定、変更できるものである。
【００２８】
前記押え板７は、例えば、適宜紙材や、適宜合成樹脂材や、適宜木材や、適宜複合材等によって構成される比較的薄くて軽い板状（或いはシート状）素材から形成され、これを基板１の大きさと略同程度となるような略円板状（円形以外でも良い）に切断して形成されている。
尚、押え板７は、ある程度の強度と剛性を備えたものが好ましく（基板１と同程度の強度と剛性を備えてなくても良い）、また、その具体的構成や、形状や、材質や、寸法等も適宜自由に設定、変更できるもので、例えば、外観上の体裁が良い略星形等に形成することも自由である。
【００２９】
前記挿通切込８は、例えば、挿通切込２ａに対応するように押え板７の中央部分の適宜位置（例えば、挿通切込２ａに対応する位置）に複数（４個所）配され、肩掛け紐６が挿通自在となるように形成されている。ところで、肩掛け紐６の両端部分を押え板７に直接固定するような場合は、挿通切込８を設けなくても良い。すなわち、肩掛け紐６の両端を挿通切込８に挿通してから押え板７に固定するので、この固定部分がより強固となっている。
尚、挿通切込８の具体的構成や、形状や、寸法や、数や、配設位置等は、図示例等に限定されることなく適宜自由に設定、変更できるものである。
【００３０】
前記装飾被覆９は、例えば、その表面が起毛状態の生地（例えば、ボア生地等）等や、或いは、比較的小さな羽毛等を接着したようなものが利用され、押え板７を設けない羽根飾り装置にあっては、基板１の他方の表面全体と、基板１の一方の表面の外周部分（弾性紐３が隠れるような部分）とに設けられ、押え板７を設けた羽根飾り装置にあっては、押え板７の他方の表面全体と、基板１の一方の表面の外周部分（弾性紐３が隠れるような部分）とに設けられるようになる。
尚、装飾被覆９の具体的構成や、形状や、寸法や、材質や、配設位置等は、図示例等に限定されることなく適宜自由に設定、変更できるものである。
また、基板１の他方の表面全体、或いは、押え板７の他方の表面全体の装飾被覆９には、複数の造花や、人工的な小羽根や、その他の適宜装飾物等で綺麗に且つ豪華に飾るようにしても良いし、或いは、スポンサーやチーム等の適宜広告、宣伝等を設けて、アピールすることも可能である。
【００３１】
前記飾り羽根１０は、例えば、適宜鳥の羽根を利用したものでも良いし、或いは、適宜羽根を模して人工的に作成したものであっても良い。
尚、飾り羽根１０の具体的構成や、形状や、寸法や、材質や、数や、色彩や、羽柄部１１の具体的構成等は、図示例等に限定されることなく適宜自由に設定、変更できるものである。
【００３２】
ところで、本考案の羽根飾り装置は、例えば、複数の飾り羽根１０を基板１等から取外したコンパクトな状態でパッケージされて販売される。しかも、一旦使用した後も、複数の飾り羽根１０を取外したコンパクトな状態で保管、運搬される。
【図面の簡単な説明】
【００３３】
【図１】本考案の羽根飾り装置を例示する一部省略斜視図である。
【図２】本考案の羽根飾り装置を例示する一部省略斜視図である。
【図３】本考案の羽根飾り装置を例示する一部省略側面図である。
【図４】本考案の羽根飾り装置の使用例を示す正面図である。
【符号の説明】
【００３４】
１      基板
２ａ    挿通切込
２ｂ    挿通切込
３      弾性紐
４      羽根取付部
５      連結部
６      肩掛け紐
７      押え板
８      挿通切込
９      装飾被覆
１０    飾り羽根
１１    羽柄部
【図１】
0003122328.tif 000003
【図２】
0003122328.tif 000004
【図３】
0003122328.tif 000005
【図４】
0003122328.tif 000006